(57)【特許請求の範囲】
【請求項１】
三脚の頭部に固定されるシューと、カメラの底部に固定され上記シューの一対のあり溝に着脱自在に挿入されるスライドプレートとからなるクイックシューにおいて、
上記スライドプレートを上記あり溝に直交して一方に押圧する方向に付勢される押圧部材と、該押圧部材とシューの側壁との間に挿入される方向に付勢されて上記押圧部材の戻りを阻止する楔状の戻り止め部材と、上記押圧部材及び戻り止め部材をそれぞれの付勢力に抗して蓄勢位置へ駆動する解除部材とを設けたことを特徴とするクイックシュー。
【請求項２】
解除部材が押圧部材の蓄勢位置への駆動に先立って戻り止め部材を蓄勢位置へ駆動するようにしたことを特徴とする請求項１記載のクイックシュー。
【発明の詳細な説明】
【０００１】
【発明の属する技術分野】
この発明は、三脚や一脚あるいは雲台の頭部に固定されるシューと、カメラの底部に固定されるスライドプレートからなり、カメラを上記スライドプレート及びシューを介して三脚又は雲台に迅速に取り付け得るようにするクイックシューに関する。
【０００２】
【従来の技術】
この種のクイックシューは、カメラと三脚，一脚又は雲台（以下「三脚」と総称する）との着脱をきわめて容易にすることができるため、手持ち撮影と三脚撮影とを頻繁に交代して行うような場合にはきわめて好都合である。
【０００３】
従来、市販されているクイックシューの種類は千差万別であるが、大別すると手動固定タイプと自動固定タイプとに分類される。また、シューとの着脱方法も種々あるが、プロ用の機種にはシュー側に左右一対のあり溝を設け、スライドプレート側にこのあり溝に遊嵌するリブを設けて前後方向にスライドさせて着脱するものが多い。
【０００４】
手動固定タイプは、スライドプレート挿入状態で手動ねじによりスライドプレートを挿入方向と直交する方向へ押圧し反対側のリブをそれに嵌合するあり溝に強固に押圧させてスライドプレートを固定したり、スライドプレートの下面に平面カムを形成し、この平面カムに対向するカム面を有する締付けレバーを所定角度回動させることにより上記スライドプレートをカムにより押し上げシューの溝内面に押圧して固定したりするものである。
【０００５】
また、自動固定タイプは、上述の手動固定タイプの手動ねじに代えて回動可能で所定角度回転することによりスライドプレートを押圧，釈放可能な偏心レバーをシュー側に設け、この偏心レバーを押圧方向に付勢したものである。そして、スライドプレート装着に先立ち偏心レバーを蓄勢状態に係止し、スライドプレート挿入に関連してその係止を解き、偏心レバーを自己の付勢力により押圧位置へ回動させスライドプレートをシュー側方へ押圧して固定するようにしている。
【０００６】
【発明が解決しようとする課題】
しかしながら、このような従来のクイックシューにあっては、手動固定タイプのものは、カメラ側のスライドプレートをシューに強固に固定しようとして手動ねじを締め付けすぎると、解除が困難になると同時に、無理な力が加わって各部が変形したり、ねじ部が摩耗して長期の使用により振動等で締付けが緩みやすくなったりするという問題点があった。
【０００７】
また、自動固定タイプのものは、スライドプレート装着前に偏心レバーを強力な付勢力に抗してセットしなければならないので、強い力あるいは大きな作動量が必要になるとともに、偏心レバーをスライドプレートとの強力な摩擦力に抗してその固定を解除するときにも強い力が必要となり、これも操作性に難があった。
【０００８】
さらに、いずれのタイプであってもスライドプレートの固定解除に強力な力を必要とするので、解除時の衝撃でスライドプレートがシューから滑り落ち大切なカメラを破損するおそれがあり、手動ねじや偏心レバーを解除してもスライドプレートが一度に落下することがない脱落防止手段を設け、この脱落防止手段をさらに解除することによりカメラを完全に取り外すことができるようにする必要があって、構成が複雑化し操作性にも問題があった。
【０００９】
この発明は上記の点に鑑みてなされたものであり、弱い力で強固な固定及び解除を可能とするクイックシューを提供することを目的とする。
【００１０】
【課題を解決するための手段】
この発明は上記の目的を達成するため、三脚の頭部に固定されるシューと、カメラの底部に固定され上記シューの一対のあり溝に着脱自在に挿入されるスライドプレートとからなるクイックシューにおいて、上記スライドプレートを上記あり溝に直交して一方に押圧する方向に付勢される押圧部材と、この押圧部材とシューの側壁との間に挿入される方向に付勢されて上記押圧部材の戻りを阻止する楔状の戻り止め部材と、上記押圧部材及び戻り止め部材をそれぞれの付勢力に抗して蓄勢位置へ駆動する解除部材とを設けたクイックシューを提供するものである。
そして、その解除部材が押圧部材の蓄勢位置への駆動に先立って戻り止め部材を蓄勢位置へ駆動するようにする。
【００１１】
【発明の実施の形態】
以下、この発明の実施形態を図面に基づいて具体的に説明する。
図１は、この発明の一実施形態のシュー底面を、底蓋を除去してスライドプレート装着前の状態で示す下面図、図２は、そのシュー上面を示す平面図、図３は、スライドプレートのシューに対向する面を示す下面図、図４は、スライドプレートをシューに装着した状態を示す横断面図である。
【００１２】
このクイックシューは、図４に示すように、三脚の頭部に螺着される三脚ねじ孔１ｃを備えたシュー１と、このシュー１の上面に設けた一対の断面Ｖ字状のあり溝１ａ，１ｂに摺動自在なリブ２ａ，２ｂを有し図示しないカメラの底面に螺着されるスライドプレート２とからなる。シュー１の底面は底蓋３により覆われており、スライドプレート２の透孔２ｃを挿通して回転自在に止ねじ４が設けてある。
【００１３】
図１は、底蓋３を除去したシュー１の下面を示しており、軸１０により先端部に爪部１１ａを備えた主動レバー１１を枢着して主動ばね１２により右旋方向に付勢する。この主動レバー１１に軸１３を設けて押圧部材１４を枢着し、その一端押圧部１４ａをシュー１の透孔１ｄを挿通してあり溝１ａ内に突出させるとともにその他端に斜面部１４ｂを形成する。
【００１４】
また、軸１５によりＬ字状の補助レバー１６を枢着して補助ばね１７により右旋方向に付勢し、その後端１６ｂを図で上下に摺動可能な戻り止め部材１８の透孔１８ａに嵌入させ、戻り止め部材１８の先端側に楔面１８ｂを折曲げ形成し、この楔面１８ｂを押圧部材１４の斜面部１４ｂに係脱自在とする。
【００１５】
さらに、シュー１の下面に軸１９によりロックレバー２０を枢着してロックばね２１により右旋方向に付勢し、ロックレバー２０の中間部に形成した折曲部２０ａをシュー１の透孔１ｅを挿通してあり溝１ａ内に突出させ、スライドプレート２のリブ２ａに形成したロック溝２ｃ（図３）に係合し得るようにし、ロックレバー２０の先端部に爪部２０ｂを形成してこの爪部２０ｂを主動レバー１１の爪部１１ａとほぼ重なる位置とする。
【００１６】
そして、これらの爪部１１ａ，２０ｂを主動ばね１２及びロックばね２１の蓄勢状態で係止し得る係止部２２ａを備えた係止レバー２２を軸２３によりシュー１に枢着してばね２４により左旋方向に付勢する。そして、係止レバー２２に植設した係止解除ピン２５をシュー１の長孔１ｆを挿通してあり溝１ａ内へ突出させるようにし、スライドプレート２の挿入終期にその段部２ｄ（図３）が係止解除ピン２５を図１で上方へ駆動することにより係止レバー２２をばね２４の付勢力に抗して右旋可能とする。
【００１７】
主動レバー１１及びロックレバー２０を図１に示す蓄勢状態に係止してスライドプレート２のロックを解除するため、解除部材２６をほぼ左右方向に摺動自在に設け、ばね２７により右方へ付勢するとともに、ばね２８により右端側を下方へ付勢する。解除部材２６の左端側にガイドピン２９を植設し、このガイドピン２９がシュー１の長溝１ｇと溝部１ｈを摺動して左右に摺動可能とし、図１に示す右行端では、切欠部２６ａがシュー１側の突起１ｉに係合して解除部材２６が僅かに右旋し得るようにするとともに、立下がり部２６ｂを補助レバー１６の先端１６ａに係合し得るようにする。
【００１８】
次に、上記のような構成からなるクイックシューの作用を説明する。
図１に示す状態でスライドプレート２のリブ２ａ，２ｂをシュー１のあり溝１ａ，１ｂに合わせて矢示Ｘ方向から挿入すると、図３に示したリブ２ａの段部２ｄが係止解除ピン２５を図で上方へ押圧して係止レバー２２をばね２４の付勢力に抗して右旋させる。これにより、係止部２２ａによる爪部１１ａ及び２０ｂの係止が解除され、主動レバー１１及びロックレバー２０が主動ばね１２及びロックばね２１の付勢力によりそれぞれ右旋する。
【００１９】
主動レバー１１が右旋すると、この主動レバー１１に軸１３で枢着された押圧部材１４が右行し、その押圧部１４ａが主動ばね１２の付勢力によりスライドプレート２のリブ２ａを右方へ押圧してリブ２ｂをあり溝１ｂに圧接させ、スライドプレート２の矢示Ｘ方向の動きを阻止する。
【００２０】
押圧部材１４が右行することにより、その斜面部１４ｂに係合していた戻り止め部材１８の楔面１８ｂが自由になり、戻り止め部材１８は補助ばね１７の付勢力により矢示Ｘ方向に移行し、シュー１の側壁１ｊと戻り止め部材１８の楔面１８ｂとの間にくい込み、押圧部材１４の左方向への戻りを阻止してスライドプレート２に強い力が加えられても動くおそれがないようにする。
【００２１】
このとき、押圧部材１４を介してスライドプレート２のリブ２ｂをシュー１のあり溝１ｂに圧接させる力は、戻り止め部材１８の楔面１８ｂによる楔作用によって保持されているので、主動ばね１２及び補助ばね１７の付勢力は必ずしも強力である必要はなく、スライドプレート２の固定はきわめて強固となる。
【００２２】
これに並行して、係止レバー２２の右旋により、ロックレバー２０の爪部２０ｂの係止も解除されるので、ロックレバー２０はロックばね２１の付勢力により右旋し、折曲部２０ａがスライドプレート２のロック溝２ｃに嵌入して矢示Ｘ方向の変位を阻止する。図５は、スライドプレート２の装着完了状態を示している。
【００２３】
この状態から解除部材２６をばね２８の付勢力に抗してガイドピン２９を支点として僅かに左旋させ、切欠部２６ａをシュー１の突起１ｉから脱してから左方へ押し込むと、まず立下がり部２６ｂが補助レバー１６の先端１６ａを駆動し補助レバー１６を補助ばね１７の付勢力に抗して左旋し、後端１６ｂに連動して戻り止め部材１８が下方に移動する。
【００２４】
引き続く解除部材２６の左行により、ガイドピン２９が主動レバー１１及びロックレバー２０を主動ばね１２及びロックばね２１の付勢力に抗して左旋させ、その爪部１１ａ，２０ｂが係止レバー２２の係止部２２ａに充分係止される位置まで移動して図６に示す状態となる。この状態では、主動レバー１１に連動する押圧部材１４の押圧部１４ａによるスライドプレート２の押圧が解除されるとともに、ロックレバー２０の折曲部２０ａがスライドプレート２のロック溝２ｃから離脱する。
【００２５】
したがって、解除部材２６を片手で押し込んだまま、他方の手で図示しないカメラを把持してシュー１から引き抜けば、スライドプレート２を容易に取り外すことができる。このとき、解除部材２６に作用する突出方向の付勢力は、主動ばね１２，補助ばね１７，ロックばね２１及びばね２７であり、いずれも弱いものであるので、解除部材２６の押圧に要する力は小さくてすみ、片手で解除部材２６を押圧しながら他方の手でカメラを把持して引き抜く操作はきわめて容易であり、別個にカメラの脱落防止手段を設ける必要はなくなる。
【００２６】
【発明の効果】
以上述べたように、この発明によるクイックシューは、スライドプレートをシューのあり溝に直交して一方に押圧する押圧部材を戻り止め部材の楔作用により戻りを阻止するようにしたので、小さな付勢力により強固な固定が可能となり、取外しに要する力も弱いもので足りて操作性を著しく向上させることができる。そのため、別個に脱落防止手段を設ける必要もなく構成を簡略化し得て高性能のクイックシューを安価に供給することができる。
また、解除部材が戻り止め部材を押圧部材より先に駆動するようにすれば、両部材の摺接による摩擦抵抗がなくなって解除部材の操作を一層軽快にすることが可能になる。
【図面の簡単な説明】
【図１】この発明の一実施形態のシュー底面を、底蓋を除去してスライドプレート装着前の状態で示す下面図である。
【図２】同じくそのシュー上面を示す平面図である。
【図３】同じくそのスライドプレートのシューに対向する面を示す下面図である。
【図４】同じくそのスライドプレートをシューに装着した状態を示す横断面図である。
【図５】同じくそのシュー底面を底蓋を除去してスライドプレート装着時の状態で示す下面図である。
【図６】同じくそのシュー底面を底蓋を除去してスライドプレート取外し時の状態で示す下面図である。
【符号の説明】
１：シュー              １ａ，１ｂ：あり溝
２：スライドプレート    ２ａ，２ｂ：リブ
１１：主動レバー        １２：主動ばね
１４：押圧部材          １４ａ：押圧部
１６：補助レバー        １７：補助ばね
１８：戻り止め部材      １８ｂ：楔面
２０：ロックレバー      ２１：ロックばね
２２：係止レバー        ２５：係止解除ピン
２６：解除部材
【図１】
0003698798.tif 000002
【図２】
0003698798.tif 000003
【図３】
0003698798.tif 000004
【図４】
0003698798.tif 000005
【図５】
0003698798.tif 000006
【図６】
0003698798.tif 000007